(57)【要約】【解決手段】  本発明は医学に関するものであり、具体的には歯学に関する。本発明の歯科用清掃器具は、相対する方向に屈曲したマッサージ（２）要素および清掃（３）要素を具備する保持部（１）を有し、前記清掃要素は端部に向かって先細りになっている。前記保持部は中央部分で折れ目が形成されるよう折曲され、当該保持部の対称軸（６）に対して互いに相対する側に移動している２つの対称部分（４）および（５）を形成している。前記保持部（１）の前記対称部分は円形の断面部（７）を有し、前記保持部の中央から前記マッサージ要素（２）に向かって徐々に先細りになっている。前記マッサージ（２）要素および清掃（３）要素は、前記保持部軸面に垂直な２つの平面（８）および（９）によって形成されている。前記マッサージ要素は、前記対称軸（６）に対して、前記保持部対称部分の移動と相対する方向に屈曲している。前記清掃要素には、前記保持部軸面に対し相対する方向に延びる略円形の延出部分が提供されている。対応する清掃要素の延出方向と反対方向にある前記マッサージ要素の表面は波形である。【選択図】      図１
2007537820.tif 000002
【特許請求の範囲】
【請求項１】
相対する側に屈曲するマッサージ要素と清掃要素とを有し、且つ前記清掃要素の端部に向かって先細りになっている保持部を有する歯科用清掃器具であって、
前記保持部は中央部分で折れ目が形成されるよう折曲され、当該保持部の対称軸に対して２つの対称部分が相対する側に移動されており、
前記マッサージ要素は前記保持部軸面に垂直な２つの平面を有し、前記保持部の対称部分の移動方向と相対する方向に屈曲し、
前記清掃要素は前記平面により形成されており、前記保持部軸面に対して相対する方向に向う延出部分を有するものである
歯科用清掃器具。
【請求項２】
請求項１記載の歯科用清掃器具において、前記保持部の対称部分の断面は円形に形成されており、前記保持部の中央部から前記マッサージ要素に向かって徐々に先細りになるものである。
【請求項３】
請求項１または請求項２記載の歯科用清掃器具において、対応する前記清掃要素の延出方向に対して反対方向にある前記マッサージ要素の表面は波形である。
【請求項４】
請求項１、２、および３のいずれか１つに記載の歯科用清掃器具において、前記保持部の対称部分は弓形であり、互いに接合され、当該凸部は互いに反対方向に向かっているものである。
【請求項５】
請求項１、２、３のいずれか１つに記載の歯科用清掃器具において、前記保持部の対称部分は直線的に形成され、曲線部により互いに接合するようなっているものである。
【請求項６】
請求項５記載の歯科用清掃器具において、前記保持部の直線部分は当該対称軸に対して平行である。
【請求項７】
前記請求項のいずれかに記載の歯科用清掃器具において、前記清掃要素の延出部分は円形である。
【発明の詳細な説明】
【技術分野】
【０００１】
本発明は医学の分野に関するものであり、より具体的には歯学に関するものであり、口腔の衛生状態の改善および歯科疾患の改善を目的として歯間を清掃すると同時に歯肉をマッサージするためのものである。
【背景技術】
【０００２】
保持部軸から屈曲した歯科清掃要素付きの歯科用清掃器具（ＳＵ１６２７１６６）において、湾曲保持部要素および尖頭清掃要素付きのものは既知の技術である（ＤＥ２９１５０４４）。これらの歯科用清掃器具が持つ共通の短所は、歯間の歯肉を同時にマッサージすることが不可能若しくは困難なことである。
【０００３】
また、国際公開第ＷＯ１９９６／０１９１５５号（ＰＣＴ／ＲＵ９５／００２７４）パンフレットに開示されている歯科用清掃器具作動装置も既知の技術であり、この歯科用清掃器具は相対する方向に屈曲したマッサージ要素と清掃要素とを有する保持部を含み、当該要素は端部に向かって先細りになっており、各マッサージ要素は台形断面を形成している。この既知の歯科用清掃器具の主な短所は、特に奥まった部分の歯肉のマッサージが困難なことである。加えて、マッサージ要素および清掃要素の断面が台形、および様々なサイズであることにより、これら製品の生産プロセスは複雑になる。
【発明の開示】
【発明が解決しようとする課題】
【０００４】
本発明の基本目的は、簡易な設計の歯科用清掃器具を考案し、歯間の清掃およびマッサージと同時に歯肉表面をマッサージすることを可能にすることである。
【課題を解決するための手段】
【０００５】
この目的は歯科用清掃器具が次のようであることによって達成される。両端に向かって先細りになっている清掃要素を有する保持部を有し、この保持部は中央部分で折曲されており、対称軸に対して相対する側に配置されるよう２つの対称部分が形成されている。さらに、前記保持部は、前記保持部軸面に対して垂直であり、前記保持部の対称軸に対して、前記保持部対称部分の移動部分と相対する側に屈曲した２つの平面によって形成されたマッサージ要素を有する。また、平面によって形成される前記清掃要素には、前記保持部軸面に対し相対する方向に向かう延出部分が提供されている。
【０００６】
また、本発明の目的は、前記保持部の対称部分の断面を円形に形成し、当該保持部の中央部から前記マッサージ要素に向かって徐々に先細りになるようにすることによっても達成される。
【０００７】
また、本発明の目的は、前記清掃要素の延出方向に対して反対方向にある前記マッサージ要素の表面を波形にすることによっても達成される。
【０００８】
また、本発明の目的は、前記保持部の対称部分は弓形であり、互いに接合され、当該凸部は互いに反対方向に向かっているか、若しくは当該対称部分は直線的であり、曲線部により互いに接合されていることによっても達成される。また、本発明の目的は、前記保持部の直線部分が対称軸と平行であることによっても達成される。
【０００９】
また、本発明の目的は、前記清掃要素の延出部分が円形であることによっても達成される。
【発明の効果】
【００１０】
本発明の使用によって得られる技術的な成果は、前記保持部軸面に対し垂直な２つの平面によって前記マッサージ要素および清掃要素を形成することによって前記歯科用清掃器具の製造プロセスを大幅に簡易化すること、また顎の形に沿って折曲された保持部を形成することよって最も奥の臼歯間の食べかすでさえも取り除くと同時に歯肉をマッサージすることによって得られる。
【００１１】
各マッサージ要素に波形表面を備えることによって、歯肉および歯肉乳頭の軟組織上をパルス加圧することが可能になり、それによって当該部分に多量の血液を供給し、全体的にマッサージ効果を増す。
【発明を実施するための最良の形態】
【００１２】
本発明の歯科用清掃器具は、マッサージ要素２と清掃要素３を有する保持部１を有する。前記保持部１は中央部分で折り目が形成されるように折曲されて、２つの対称部分４および５は対称軸６に対して相対する側に移動するよう形成される。前記保持部１の対称部分は弓形であり、互いに接合され、当該凸部は互いに反対方向に向かっている。前記保持部１の対称部分の断面７は円形に形成されており、前記保持部の中央から前記マッサージ要素に向かって徐々に先細りになる。
【００１３】
前記マッサージ要素２および清掃要素３は、前記清掃要素の端部に向かって先細りになっており、前記保持部の軸面１０に対し垂直な２つの平面８および９を有する。前記マッサージ要素２は、前記対称軸６に対し、前記保持部の対称部分４，５の移動と反対方向に屈曲する。前記清掃要素３は略円形の延出部１１を有し、この延出部は前記保持部の軸面１０に対して相対する方向に向かっている。適切な清掃要素の前記延出部１１と相対する方向にある前記マッサージ要素の表面１２は波形である。
【００１４】
本発明の歯科用清掃器具は、ステンレススチールまたは高強度のプラスチックで形成することが可能である。内部応力を減少し、且つ歯周組織の損傷の可能性を取り除くために前記歯科用清掃器具のあらゆる連結部を円形にする必要がある。
【００１５】
本発明の歯科用清掃器具は次のように使用する。前記マッサージ要素を有する前記保持部の対称部分の１つを、右手の３本の指で挟んで持つ。このようにした場合、もう一方のマッサージ要素は下方に向き、顎の右上または左下を治療する。隣接する歯の間に前記清掃要素３、次に前記マッサージ要素２を挿入し、歯間の歯肉をわずかに押しながら顎沿いおよび上下に数回動かすことにより、食べかすを取り除くと同時に、前記歯肉および歯肉乳頭をマッサージすることができる。もう一方の手に前記歯科用清掃器具を持ち替え、顎の左上および顎の右下の清掃を行う。
【００１６】
本発明を個人の衛生手段として歯科実務に広く利用することによって、歯周組織の炎症の進行を抑え、歯周病の進行を止め、歯のぐらつきを減少し、血管トロピズムおよび歯周組織神経系の活性を改善することができる。
【００１７】
世界中のほぼすべての成人が歯周病に罹患しているのであるから、歯科用清掃器具の生産には限界がない。
【図面の簡単な説明】
【００１８】
【図１】図１および２は、前記歯科用清掃器具の２つの投影図である。
【図２】図１および２は、前記歯科用清掃器具の２つの投影図である。
【図３】図３は、図１の矢印Ｂ方向の図である。
【図４】図４は、図１の線Ａ−Ａ方向の断面図である。
【図５】図５は、本発明のマッサージ要素の拡大図である（図１の断片Ｉ）。
【図１】
2007537820.tif 000003
【図２】
2007537820.tif 000004
【図３】
2007537820.tif 000005
【図４】
2007537820.tif 000006
【図５】
2007537820.tif 000007
【国際調査報告】
2007537820.tif 000008
2007537820.tif 000009